(57)【要約】【課題】ユーザによる設定条件を解除することなく印刷効率の低下を抑制する。【解決手段】ＣＰＵ１１１は、外部からの入力を受け付けて、画像を記録紙上に形成する条件である画像形成条件を設定する条件設定部１１１ｂと、記録紙を供給するトレイである供給トレイとして複数のトレイの中から第１のトレイを選択するトレイ選択部１１１ｅと、第１のトレイの記録紙が無くなった場合に、画像形成条件に基づいて、供給トレイを複数のトレイの中から再選択するトレイ再選択部１１１ｆとを備える。【選択図】図２
2007269411.tif 000002
【特許請求の範囲】
【請求項１】
複数のトレイから記録紙を供給可能に構成され、供給された記録紙上に画像を形成する画像形成装置であって、
外部からの入力を受け付けて、画像を記録紙上に形成する条件である画像形成条件を設定する条件設定手段と、
記録紙を供給するトレイである供給トレイとして前記複数のトレイの中から第１のトレイを選択するトレイ選択手段と、
前記第１のトレイの記録紙が無くなった場合に、前記画像形成条件に基づいて、前記供給トレイを前記複数のトレイの中から第２のトレイを再選択するトレイ再選択手段と
を備えることを特徴とする画像形成装置。
【請求項２】
前記画像形成条件は、記録紙の両面に画像を形成するか否かの条件を含むことを特徴とする請求項１に記載の画像形成装置。
【請求項３】
前記複数のトレイのいずれかのトレイに記録紙が補給されたか否かを判定する補給判定手段を備え、
記録紙が補給されたと判定された場合に、前記トレイ再選択手段は、前記画像形成条件に基づいて、前記供給トレイとして前記複数のトレイの中から第２のトレイを再選択することを特徴とする請求項１又は請求項２に記載の画像形成装置。
【請求項４】
画像が形成された記録紙に対して、所定の後処理を施す後処理装置が接続され、
前記条件設定手段は、前記後処理装置にて実行される後処理の条件である後処理条件を設定し、
前記トレイ再選択手段は、前記後処理条件に基づいて、前記供給トレイを再設定することを特徴とする請求項１〜請求項３のいずれかに記載の画像形成装置。
【請求項５】
前記後処理装置は、ステイプル処理を行うステイプラを備え、
前記後処理条件は、ステイプル処理を行うか否かの条件を含むことを特徴とする請求項４に記載の画像形成装置。
【請求項６】
前記複数のトレイに載置された記録紙のサイズ情報を格納するサイズ記憶手段を備え、
前記トレイ再選択手段は、前記サイズ情報に基づいて、前記供給トレイを再選択することを特徴とする請求項１〜請求項５のいずれかに記載の画像形成装置。
【請求項７】
前記複数のトレイに載置された記録紙の種類を識別する情報である種別情報を格納する種別記憶手段を備え、
前記トレイ再選択手段は、前記種別情報に基づいて、前記供給トレイを再選択することを特徴とする請求項１〜請求項６のいずれかに記載の画像形成装置。
【請求項８】
外部からの入力を受け付けて、前記複数のトレイ毎に前記種別情報を設定し、前記種別記憶手段に格納する種別設定手段を備えることを特徴とする請求項７に記載の画像形成装置。
【発明の詳細な説明】
【技術分野】
【０００１】
本発明は、複数のトレイから記録紙を供給可能に構成され、供給された記録紙上に画像を形成する画像形成装置に関するものである。特に、複写機、プリンタ、ファクシミリ、インターネットファクシミリ、及び、これらの機能の内のいずれかの機能を有する複合機に関するものである。
【背景技術】
【０００２】
近年、複写機等の画像形成装置において、印刷速度の向上、印刷費用の低減等の進展に伴い、一度に多数枚の印刷を行う頻度が増加している。このような場合には、複写機等に配設された給紙トレイの記録紙が印刷途中で空になり、印刷処理が中断され、その結果、印刷効率が低下することがある。
【０００３】
上記の課題を解消するために、給紙トレイの記録紙が空になった場合に、複写機等に配設された他の給紙トレイから給紙を行う複写機が提案されている（特許文献１参照）。このような複写機によれば、印刷処理中に記録紙が空になった場合でも、印刷処理を継続することができるため、印刷効率の低下を回避することが可能となる。
【特許文献１】特開平７−１８４０１７号公報
【発明の開示】
【発明が解決しようとする課題】
【０００４】
上記複写機において、両面印刷が設定されている場合に、例えば、トレース紙のような薄紙が前記他の給紙トレイにセットされていると、薄紙の両面に印刷がされてしまう虞があるため、両面印刷の設定が強制的に解除されていた。しかしながら、ユーザが両面印刷を設定している場合に、その設定が解除されてしまうことは、ユーザにとって好ましいことではない。
【０００５】
本発明は、上記課題に鑑みてなされたものであって、ユーザによる設定条件を解除することなく印刷効率の低下を抑制することの可能な画像形成装置を提供することを目的としている。
【課題を解決するための手段】
【０００６】
上記目的を達成するために請求項１に記載の画像形成装置は、複数のトレイから記録紙を供給可能に構成され、供給された記録紙上に画像を形成する画像形成装置であって、外部からの入力を受け付けて、画像を記録紙上に形成する条件である画像形成条件を設定する条件設定手段と、記録紙を供給するトレイである供給トレイとして前記複数のトレイの中から第１のトレイを選択するトレイ選択手段と、前記第１のトレイの記録紙が無くなった場合に、前記画像形成条件に基づいて、前記供給トレイを前記複数のトレイの中から第２のトレイを再選択するトレイ再選択手段とを備えることを特徴としている。
【０００７】
請求項２に記載の画像形成装置は、請求項１に記載の画像形成装置であって、前記画像形成条件が、記録紙の両面に画像を形成するか否かの条件を含むことを特徴としている。
【０００８】
請求項３に記載の画像形成装置は、請求項１又は請求項２に記載の画像形成装置であって、前記複数のトレイのいずれかのトレイに記録紙が補給されたか否かを判定する補給判定手段を備え、記録紙が補給されたと判定された場合に、前記トレイ再選択手段が、前記画像形成条件に基づいて、前記供給トレイとして前記複数のトレイの中から第２のトレイを再選択することを特徴としている。
【０００９】
請求項４に記載の画像形成装置は、請求項１〜請求項３のいずれかに記載の画像形成装置であって、画像が形成された記録紙に対して、所定の後処理を施す後処理装置が接続され、前記条件設定手段が、前記後処理装置にて実行される後処理の条件である後処理条件を設定し、前記トレイ再選択手段が、前記後処理条件に基づいて、前記供給トレイを再設定することを特徴としている。
【００１０】
請求項５に記載の画像形成装置は、請求項４に記載の画像形成装置であって、前記後処理装置が、ステイプル処理を行うステイプラを備え、前記後処理条件が、ステイプル処理を行うか否かの条件を含むことを特徴としている。
【００１１】
請求項６に記載の画像形成装置は、請求項１〜請求項５のいずれかに記載の画像形成装置であって、前記複数のトレイに載置された記録紙のサイズ情報を格納するサイズ記憶手段を備え、前記トレイ再選択手段が、前記サイズ情報に基づいて、前記供給トレイを再選択することを特徴としている。
【００１２】
請求項７に記載の画像形成装置は、請求項１〜請求項６のいずれかに記載の画像形成装置であって、前記複数のトレイに載置された記録紙の種類を識別する情報である種別情報を格納する種別記憶手段を備え、前記トレイ再選択手段が、前記種別情報に基づいて、前記供給トレイを再選択することを特徴としている。
【００１３】
請求項８に記載の画像形成装置は、請求項７に記載の画像形成装置であって、外部からの入力を受け付けて、前記複数のトレイ毎に前記種別情報を設定し、前記種別記憶手段に格納する種別設定手段を備えることを特徴としている。
【発明の効果】
【００１４】
請求項１に記載の画像形成装置によれば、第１のトレイの記録紙が無くなった場合に、画像を記録紙上に形成する条件である画像形成条件に基づいて、記録紙を供給するトレイである供給トレイが複数のトレイの中から第２のトレイを再選択されるため、画像形成条件が変更されることなく（＝ユーザによる設定条件が解除されることなく）、印刷効率の低下を抑制することが可能となる。また、画像形成条件に基づいて、供給トレイが再選択されるため、適切な供給トレイを選択することができる。
【００１５】
請求項２に記載の画像形成装置によれば、画像形成条件が、記録紙の両面に画像を形成するか否かの条件を含むため、両面印刷が設定されている場合にも、画像形成条件が変更されることなく（＝ユーザによる両面印刷が解除されることなく）、印刷効率の低下を抑制することが可能となる。
【００１６】
請求項３に記載の画像形成装置によれば、記録紙が補給されたと判定された場合に、画像形成条件に基づいて、供給トレイが再選択されるため、記録紙が補給されたトレイを含めて、画像形成条件に基づいて、供給トレイが再選択されるため、更に適切な供給トレイを選択することができる。
【００１７】
請求項４に記載の画像形成装置によれば、後処理装置にて実行される後処理の条件である後処理条件に基づいて、供給トレイが再設定されるため、更に適切な供給トレイを再選択することができる。
【００１８】
請求項５に記載の画像形成装置によれば、後処理条件がステイプル処理を行うか否かの条件を含むため、ステイプル処理に関して適切な供給トレイを再選択することができる。
【００１９】
請求項６に記載の画像形成装置によれば、複数のトレイに載置された記録紙のサイズ情報に基づいて、供給トレイが再選択されるため、適切なサイズの記録紙を再選択することができる。
【００２０】
請求項７に記載の画像形成装置によれば、複数のトレイに載置された記録紙の種類を識別する情報である種別情報に基づいて、供給トレイが再選択されるため、適切な種別の記録紙を再選択することができる。
【００２１】
請求項８に記載の画像形成装置によれば、外部からの入力が受け付けられて、複数のトレイ毎に種別情報が設定されるため、記録紙の補給時等にユーザが種別情報を設定することにより、簡素な構成で正確な種別情報を設定することができる。
【発明を実施するための最良の形態】
【００２２】
以下、本発明に係る画像形成装置の一例について図面を参照して説明する。図１は、本発明に係る画像形成装置の概略構成の一例を示すブロック図である。なお、ここでは、画像形成装置が、複写機である場合について説明するが、記録紙上に画像を形成する他の画像形成装置（例えば、ファクシミリ、インターネットファクシミリ、プリンタ、複合機等）である形態でもよい。図１に示すように、複写機１は、制御部１１、表示部１２、操作部１３、給紙部１４、印刷処理部１５、及び、後処理部１６を備えている。なお、複写機１は、図略のスキャナで原稿に形成された画像を読み取り、読み取られた原稿画像に対応する画像を記録紙上に形成するものである。
【００２３】
制御部１１は、複写機１全体の動作を制御するものであって、ＣＰＵ（Ｃｅｎｔｒａｌ  Ｐｒｏｃｅｓｓｉｎｇ  Ｕｎｉｔ）１１１と、ＲＡＭ（Ｒａｎｄｏｍ  Ａｃｃｅｓｓ  Ｍｅｍｏｒｙ）１１２とを備えている。
【００２４】
表示部１２は、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）等を備え、制御部１１（ＣＰＵ１１１）からの指示に基づき、設定情報、ガイダンス情報、メッセージ情報等をユーザから視認可能に表示するものである。
【００２５】
操作部１３は、ユーザからの操作入力を受け付けて、受け付けられた操作入力に対応する操作入力情報を生成し、制御部１１（ＣＰＵ１１１）に出力するものである。操作部１３は、例えば、テンキー、スタートボタン等の各種ボタン、及び、表示部１２に配設されたＬＣＤと一体に形成されたタッチパネル等を備えている。
【００２６】
給紙部１４は、複数の（ここでは、５個の）トレイを備え、各トレイから印刷処理部１５に記録紙を供給するものであって、サイズ検出センサ１４１と、補給検出センサ１４２とを備えている。サイズ検出センサ１４１は、各トレイに載置された記録紙のサイズを検出するものである。サイズ検出センサ１４１は、例えば、記録紙を幅方向及び長手方向からガイドするガイド板の間隔を検出することにより記録紙のサイズを検出するものである。補給検出センサ１４２（補給判定手段の一部に相当する）は、各トレイに記録紙が補給されたことを検出するものである。補給検出センサ１４２は、各トレイに載置された記録紙が空（いわゆる、「エンプティ」）の状態から、各トレイに記録紙が載置された状態に変化したことを検出することにより、記録紙が補給されたことを検出するものである。
【００２７】
印刷処理部１５は、記録紙上に電子写真方式で画像（ここでは、原稿画像に対応する画像）を形成するものであって、レーザビーム走査ユニット１５１、現像ユニット１５２、及び、感光ユニット１５３を備えている。レーザビーム走査ユニット１５１は、静電潜像をレーザビームによって感光ドラムの表面に形成するものである。現像ユニット１５２は、レーザビーム走査ユニット１５１により形成された静電潜像にトナーを付着させてトナー像を形成するものである。感光ユニット１５３は、感光ドラムを備え、まず、感光ドラムの表面が帯電ローラによって略均一に帯電され、次に、レーザビーム走査ユニット１５１によって、静電潜像が形成され、現像ユニット１５２によって、トナーが付着されてトナー像が形成されるものである。
【００２８】
後処理部１６（後処理装置に相当する）は、画像が形成された記録紙に対して所定の後処理を施すものであって、ソータ１６１、ステイプラ１６２、及び、パンチャ１６３を備えている。ソータ１６１は、例えば、原稿の枚数毎に、まとめて記録紙を載置するものである。例えば、１０枚の原稿を２０部片面コピーする場合には、原稿に対応する１０枚毎に２０部だけ別々の位置に載置するものである。ステイプラ１６２は、所定枚数の記録紙を束ねるためにステイプル処理を施すものである。パンチャ１６３は、記録紙の所定の位置に所定の大きさの穴を開けるものである。
【００２９】
図２は、本発明に係る複写機１の主要部の構成の一例を示す機能構成図である。ＣＰＵ１１１は、機能的に、種別設定部１１１ａ、条件設定部１１１ｂ、サイズ判定部１１１ｃ、補給判定部１１１ｄ、トレイ選択部１１１ｅ、及び、トレイ再選択部１１１ｆを備えている。ＲＡＭ１１２は、機能的に、条件記憶部１１２ａ、種別記憶部１１２ｂ及びサイズ記憶部１１２ｃを備えている。
【００３０】
ここでは、ＣＰＵ１１１が、ＲＯＭ（Ｒｅａｄ  Ｏｎｌｙ  Ｍｅｍｏｒｙ）等に予め格納されたプログラムを読み出して実行することにより、種別設定部１１１ａ、条件設定部１１１ｂ、サイズ判定部１１１ｃ、補給判定部１１１ｄ、トレイ選択部１１１ｅ、トレイ再選択部１１１ｆ等の機能部として機能すると共に、ＲＡＭ１１２を、条件記憶部１１２ａ、種別記憶部１１２ｂ、サイズ記憶部１１２ｃ等の機能部として機能させるものである。
【００３１】
また、ＲＡＭ１１２、ＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３２】
種別設定部１１１ａ（種別設定手段に相当する）は、操作部１３を介して操作入力を受け付けて、各トレイに載置される記録紙の種別を設定するものである。ここでは、記録紙の種別として、普通紙、薄紙、厚紙、裏紙、ＯＨＰフィルムの５種類から選択入力可能に構成されている（図５（ｂ）参照）。
【００３３】
条件設定部１１１ｂ（条件設定手段に相当する）は、操作部１３を介して操作入力を受け付けて、画像を記録紙上に形成する条件である画像形成条件及び後処理装置にて実行される後処理の条件である後処理条件を設定するものである。ここで、画像形成条件は、記録紙の両面に画像を形成するか否かの条件（両面印刷か片面印刷かの選択結果）を含み、後処理条件は、パンチを行うか否かの条件を含むものである。
【００３４】
サイズ判定部１１１ｃは、図１に示すサイズ検出センサ１４１の検出結果を受け付けて、各トレイに載置された記録紙のサイズを判定するものである。ここでは、ＪＩＳ（日本工業規格）により定められたＡ列及びＢ列の規定サイズの内、各トレイには、Ａ６〜Ａ３、Ｂ６〜Ｂ４のサイズを載置可能に構成されているものとする。
【００３５】
補給判定部１１１ｄ（補給判定手段の一部に相当する）は、図１に示す補給検出センサ１４２の検出結果を受け付けて、複数のトレイのいずれかに記録紙が補給されたか否かを判定するものである。
【００３６】
トレイ選択部１１１ｅ（トレイ選択手段に相当する）は、操作部１３を介して操作入力を受け付けて、記録紙を供給するトレイである供給トレイとして、複数のトレイの中から第１のトレイを選択するものである。
【００３７】
トレイ再選択部１１１ｆ（トレイ再選択手段に相当する）は、トレイ選択部１１１ｅによって選択された第１のトレイの記録紙が無くなった場合（補給検出センサ１４２から記録紙が空の状態である旨の信号を受け付けた場合）に、条件記憶部１１２に格納された画像形成条件及び後処理条件に基づいて、供給トレイとして複数のトレイの中から第２のトレイを再選択するものである。また、トレイ再選択部１１１ｆは、記録紙が補給されたと判定された場合に、画像形成条件に基づいて、供給トレイとして複数のトレイの中から第２のトレイを再選択するものである。更に、トレイ再選択部１１１ｆは、複数のトレイにそれぞれ載置された記録紙のサイズ情報、及び種別情報に基づいて、供給トレイを再選択するものである。
【００３８】
条件記憶部１１２ａは、条件設定部１１１ｂにより設定された画像形成条件及び後処理条件を格納するものである。種別記憶部１１２ｂ（種別記憶手段に相当する）は、種別設定部１１１ａにより設定された記録紙の種別情報をトレイ毎に格納するものである。サイズ記憶部１１２ｃ（サイズ記憶手段に相当する）は、サイズ判定部１１１ｃにより判定された記録紙のサイズ情報をトレイ毎に格納するものである。
【００３９】
図３は、本発明に係る複写機１の動作の一例を示すフローチャートである。まず、条件設定部１１１ｂによって、操作部１３を介して印刷条件が設定される（Ｓ１０１）。次いで、トレイ選択部１１１ｅによって、操作部１３を介して複数のトレイの中から第１のトレイが選択される（Ｓ１０３）。そして、操作部１３に配設されたスタートボタンが押下されたか否かに基づいて印刷を開始する旨の指示情報が受け付けられたか否かの判定が行われる（Ｓ１０５）。印刷を開始する旨の指示情報が受け付けられていないと判定された場合（Ｓ１０５でＮＯ）には、処理が待機状態とされる。印刷を開始する旨の指示情報が受け付けられたと判定された場合（Ｓ１０５でＹＥＳ）には、印刷処理が実行される（Ｓ１０７）。そして、トレイ再選択部１１１ｆによって、第１のトレイの記録紙が空になったか否かの判定が行われる（Ｓ１０９）。
【００４０】
第１のトレイの記録紙が空になったと判定された場合（Ｓ１０９でＹＥＳ）には、処理がステップＳ１１３に進められる。第１のトレイの記録紙が空になってはいない（＝記録紙が残っている）と判定された場合（Ｓ１０９でＮＯ）には、ステップＳ１０１で設定された印刷条件で規定されただけの印刷処理が終了したか否かの判定が行われる（Ｓ１１１）。そして、印刷処理が終了したと判定された場合（Ｓ１１１でＹＥＳ）には、処理が終了される。印刷処理が終了していないと判定された場合（Ｓ１１１でＮＯ）には、処理はステップＳ１０７に戻され、ステップＳ１０７以降の処理が繰り返し実行される。
【００４１】
ステップＳ１１１でＹＥＳの場合には、トレイ再選択部１１１ｆによって、条件記憶部１１２に格納された画像形成条件及び後処理条件に基づいて、供給トレイとして複数のトレイの中から第２のトレイを再選択するトレイ再選択処理が行われる（Ｓ１１３）。次に、トレイ再選択部１１１ｆによって、操作部１３に配設されたスタートボタンが押下されたか否かに基づいて印刷を再開する旨の指示情報が受け付けられたか否かの判定が行われる（Ｓ１１５）。再開する旨の指示情報が受け付けられたと判定された場合（Ｓ１１５でＹＥＳ）には、処理がステップＳ１０７に戻され、ステップＳ１０７以降の処理が繰り返し実行される。再開する旨の指示情報が受け付けられてはいないと判定された場合（Ｓ１１５でＮＯ）には、補給判定部１１１ｄによって、複数のトレイのいずれかに記録紙が補給されたか否かが判定される（Ｓ１１７）。記録紙が補給されてはいないと判定された場合（Ｓ１１７でＮＯ）には、処理がステップＳ１１５に戻される。記録紙が補給されたと判定された場合（Ｓ１１７でＹＥＳ）には、処理が、ステップＳ１１３に戻される。
【００４２】
図４は、図３に示すフローチャートのステップＳ１１３において実行されるトレイ再選択処理の一例を示す詳細フローチャートである。なお、以下の処理は全てトレイ再選択部１１１ｆによって行われる。まず、条件記憶部１１２ａから印刷条件が読み出される（Ｓ２０１）。そして、種別記憶部１１２ｂ及びサイズ記憶部１１２ｃからそれぞれ種別情報及びサイズ情報が読み出される（Ｓ２０３）。次いで、ステップ２０１で読み出された印刷条件が両面印刷であるか否かの判定が行われる（Ｓ２０５）。両面印刷であると判定された場合（Ｓ２０５でＹＥＳ）には、処理がステップＳ２０９に進められる。両面印刷ではないと判定された場合（Ｓ２０５でＮＯ）には、記録紙のサイズ情報、及び種別情報に基づいて、供給トレイが再選択され表示部１２に選択されたトレイの候補が表示され、操作部１３を介してトレイを選択する操作入力が受け付けられたか否かの判定が行われる（Ｓ２０７）。
【００４３】
トレイを選択する操作入力が受け付けられていない場合（Ｓ２０７でＮＯ）には、処理が待機状態とされる。トレイを選択する操作入力が受け付けられた場合（Ｓ２０７でＹＥＳ）には、処理がリターンされる。ステップＳ２０５でＹＥＳの場合には、両面印刷可能なトレイが抽出され表示部１２に選択可能に表示される（Ｓ２０９）。そして、操作部１３を介してトレイを選択する操作入力が受け付けられたか否かの判定が行われる（Ｓ２１１）。トレイを選択する操作入力が受け付けられていない場合（Ｓ２１１でＮＯ）には、処理が待機状態とされる。トレイを選択する操作入力が受け付けられた場合（Ｓ２１１でＹＥＳ）には、処理がリターンされる。
【００４４】
図５は、種別設定部１１１ａによって表示部１２のＬＣＤに表示される画面の一例を示す画面図である。（ａ）は、記録紙の種別を設定する対象のトレイ（ここでは、カセット又はトレイという）を選択する記録紙種別設定第１画面の画面図であり、（ｂ）は、記録紙の種別を選択して設定する記録紙種別設定第２画面の画面図である。記録紙種別設定第１画面には、複写機１の給紙部１４に配設された複数のトレイ（ここでは、４個のカセットと１個のトレイ）の名称（ここでは、「カセット１」、「ＭＰトレイ」等と、その名称に対応付けられた選択ボタンとが表示されている。カセット１の記録紙の種別を設定する場合には、カセット１に対応する選択ボタンを押下することにより、操作部１３（ここでは、タッチパネル）を介して、対象のトレイが選択される。
【００４５】
記録紙種別設定第２画面には、記録紙の複数（ここでは、５つ）の種別（ここでは、「普通紙」、「薄紙」等）と、その種別毎に対応付けられた選択ボタンとが表示されている。普通紙を選択する場合には、普通紙に対応する選択ボタンを押下することにより、操作部１３（ここでは、タッチパネル）を介して、普通紙が設定される。このようにして、種別設定部１１１ａによって記録紙種別設定第１画面、記録紙種別設定第２画面が表示部１２のＬＣＤに表示され、操作部１３（ここでは、タッチパネル）を介して操作入力が受け付けられて記録紙の種別が設定されるため、記録紙の種別を簡単に設定することができる。
【００４６】
図６は、両面印刷が設定された場合の、トレイ再選択部１１１ｆ等の動作を示す説明図である。（ａ）は、複写機１の給紙部１４に配設された複数のトレイ（ここでは、４個のカセットと１個のトレイ）に載置された記録紙のサイズと種別とを示す図表であり、（ｂ）は、印刷中にカセット１の記録紙が空になった場合に、トレイ再選択部１１１ｆによって表示部１２のＬＣＤに表示される画面の一例を示す画面図である。
【００４７】
ここでは、原稿はＡ３サイズであって、等倍に両面複写するものとする。（ａ）に示すように、カセット２にはＢ４サイズの普通紙が載置されているため、原稿の一部（ここでは、Ｂ４サイズに対応する領域）にしか画像が形成されていない場合、又は、原稿の一部が印刷されなくてもよい場合等は、問題なく印刷することが可能である。この旨が、（ｂ）に示す画面図では、カセット２に対応する括弧内に白丸印として表示されている。また、（ａ）に示すように、カセット３には薄紙が載置されているので、裏写りするため両面印刷することはできず、ＭＰトレイにはＯＨＰフィルムが載置されているので、両面印刷することはできない。更に、（ａ）に示すように、カセット４には、普通紙が載置されているが、Ａ６サイズであるので、複写機１の両面印刷用の搬送路を通すことができないため、両面印刷することはできない。そこで、（ｂ）に示す画面図では、カセット２、カセット３、及びＭＰトレイに対応する括弧内に両面印刷が不可である旨のバツ印が表示されている。従って、ユーザは、（ｂ）に示す画面図のカセット２に対応する選択ボタンを押下することによって、適切なトレイを選択することができる。
【００４８】
このようにして、第１のトレイの記録紙が無くなった場合に、トレイ再選択部１１１ｆによって、画像を記録紙上に形成する条件である画像形成条件に基づいて、記録紙を供給するトレイである供給トレイが複数のトレイの中から再選択されるため、画像形成条件が変更されることなく（＝ユーザによる設定条件が解除されることなく）、印刷効率の低下を抑制することが可能となる。また、画像形成条件に基づいて、供給トレイが再選択されるため、適切な供給トレイを選択することができる。
【００４９】
また、画像形成条件が、記録紙の両面に画像を形成するか否かの条件を含むため、両面印刷が設定されている場合にも、画像形成条件が変更されることなく（＝ユーザによる両面印刷が解除されることなく）、印刷効率の低下を抑制することが可能となる。
【００５０】
加えて、補給判定部１１１ｄによって記録紙が補給されたと判定された場合に、トレイ再選択部１１１ｆによって、画像形成条件に基づいて、供給トレイが再選択されるため、記録紙が補給されたトレイを含めて、画像形成条件に基づいて、供給トレイが再選択されるため、更に適切な供給トレイを選択することができる。
【００５１】
また、トレイ再選択部１１１ｆによって、複数のトレイに載置された記録紙のサイズ情報に基づいて、供給トレイが再選択されるため、適切なサイズの記録紙を再選択することができる。
【００５２】
更に、トレイ再選択部１１１ｆによって、複数のトレイに載置された記録紙の種類を識別する情報である種別情報に基づいて、供給トレイが再選択されるため、適切な種別の記録紙を再選択することができる。
【００５３】
加えて、種別設定部１１１ａによって、外部からの入力が受け付けられて、複数のトレイ毎に種別情報が設定されるため、記録紙の補給時等にユーザが種別情報を設定することにより、簡素な構成で正確な種別情報を設定することができる。
【００５４】
なお、本発明は、以下の形態にも適用可能である。
（Ａ）本実施形態では、トレイ再選択部１１１ｆが画像形成条件に基づいて供給トレイを再選択する場合について説明したが、トレイ再選択部１１１ｆが後処理条件に基づいて供給トレイを再選択する形態でもよい。すなわち、トレイ再選択部１１１ｆが画像形成条件及び後処理条件の少なくとも一方に基づいて供給トレイを再選択する形態であればよい。
【００５５】
図７は、図３に示すフローチャートのステップＳ１１３において実行されるトレイ再選択処理の図４とは別の一例を示す詳細フローチャートである。まず、条件記憶部１１２ａから後処理条件が読み出される（Ｓ３０１）。そして、種別記憶部１１２ｂ及びサイズ記憶部１１２ｃからそれぞれ種別情報及びサイズ情報が読み出される（Ｓ３０３）。次いで、ステップ３０１で読み出された後処理条件がステイプル処理を実行する条件であるか否かの判定が行われる（Ｓ３０５）。ステイプル処理を実行する条件であると判定された場合（Ｓ３０５でＹＥＳ）には、処理がステップＳ３０９に進められる。ステイプル処理を実行する条件ではないと判定された場合（Ｓ３０５でＮＯ）には、記録紙のサイズ情報、及び種別情報に基づいて、供給トレイが再選択され表示部１２に選択されたトレイの候補が表示され、操作部１３を介してトレイを選択する操作入力が受け付けられたか否かの判定が行われる（Ｓ３０７）。
【００５６】
トレイを選択する操作入力が受け付けられていない場合（Ｓ３０７でＮＯ）には、処理が待機状態とされる。トレイを選択する操作入力が受け付けられた場合（Ｓ３０７でＹＥＳ）には、処理がリターンされる。ステップＳ３０５でＹＥＳの場合には、これから印刷するページが各部の先頭ページであるか否かの判定が行われる（Ｓ３０９）。先頭ページではないと判定された場合には、前に選択されていたトレイ（第１のトレイ）に載置されていた記録紙と主走査方向のサイズが同じ記録紙が載置されているトレイがサイズ条件を満たすトレイとして選択される（Ｓ３１１）。ここで、主走査方向のサイズが同じ記録紙であることをサイズ条件としているのは、主走査方向のサイズが同じ記録紙では記録紙上のステイプル位置が同一であるためである。
【００５７】
ステップＳ３１１の処理が終了した場合、又は、ステップ３０９でＮＯの場合には、ステイプル処理を実行可能なトレイが種別条件を用いて抽出され表示部１２に選択可能に表示される（Ｓ３１３）。そして、操作部１３を介してトレイを選択する操作入力が受け付けられたか否かの判定が行われる（Ｓ３１５）。トレイを選択する操作入力が受け付けられていない場合（Ｓ３１５でＮＯ）には、処理が待機状態とされる。トレイを選択する操作入力が受け付けられた場合（Ｓ３１５でＹＥＳ）には、処理がリターンされる。
【００５８】
このようにして、後処理部１６にて実行される後処理の条件である後処理条件に基づいて、供給トレイが再設定されるため、更に適切な供給トレイを再選択することができる。また、後処理条件がステイプル処理を行うか否かの条件を含むため、ステイプル処理に関して適切な供給トレイを再選択することができる。
【００５９】
（Ｂ）本実施形態では、トレイ再選択部１１１ｆが、適切な供給トレイを再選択してＬＣＤに表示してユーザからの選択を受け付ける場合について説明したが、適切な供給トレイを再選択して印刷を続行させる形態でもよいし、選択されたトレイの記録紙が所定の条件を満たす場合に、適切な供給トレイを再選択して印刷を続行させ、所定の条件を満たさない場合に、ユーザからの選択を受け付ける形態でもよい。後者の場合には、更に利便性が向上する。
【００６０】
（Ｃ）本実施形態では、種別設定部１１１ａが、ユーザの操作入力を受け付けてトレイに載置される記録紙の種別を設定する場合について説明したが、トレイに載置される記録紙の種別を検出し、その検出結果に基づいて記録紙の種別を設定する形態でもよい。この場合には、更に利便性が向上する。
【図面の簡単な説明】
【００６１】
【図１】は、本発明に係る画像形成装置の概略構成の一例を示すブロック図である。
【図２】は、本発明に係る複写機の主要部の構成の一例を示す機能構成図である。
【図３】は、本発明に係る複写機の動作の一例を示すフローチャートである。
【図４】は、図３に示すフローチャートのステップＳ１１３において実行されるトレイ再選択処理の一例を示す詳細フローチャートである。
【図５】は、種別設定部１１１ａによって表示部のＬＣＤに表示される画面の一例を示す画面図である。
【図６】は、両面印刷が設定された場合の、トレイ再選択部等の動作を示す説明図である。
【図７】は、図３に示すフローチャートのステップＳ１１３において実行されるトレイ再選択処理の図４とは別の一例を示す詳細フローチャートである。
【符号の説明】
【００６２】
１    複写機（画像形成装置）
１１    制御部
１１１    ＣＰＵ
１１１ａ    種別設定部（種別設定手段）
１１１ｂ    条件設定部（条件設定手段）
１１１ｃ    サイズ判定部
１１１ｄ    補給判定部（補給判定手段の一部）
１１１ｅ    トレイ選択部（トレイ選択手段）
１１１ｆ    トレイ再選択部（トレイ再選択手段）
１１２    ＲＡＭ
１１２ａ    条件記憶部
１１２ｂ    種別記憶部（種別記憶手段）
１１２ｃ    サイズ記憶部（サイズ記憶手段）
１２    表示部
１３    操作部
１４    給紙部
１４１    サイズ検出センサ
１４２    補給検出センサ（補給判定手段の一部）
１５    印刷処理部
１６    後処理部（後処理装置）
【図１】
2007269411.tif 000003
【図２】
2007269411.tif 000004
【図３】
2007269411.tif 000005
【図４】
2007269411.tif 000006
【図５】
2007269411.tif 000007
【図６】
2007269411.tif 000008
【図７】
2007269411.tif 000009